【手続補正書】
【提出日】平成19年1月10日(2007.1.10)
【手続補正１】
【補正対象書類名】明細書
【補正対象項目名】特許請求の範囲
【補正方法】変更
【補正の内容】
【特許請求の範囲】
【請求項１】  単一の共通無線周波数でタグリーダーとともに動作し、特定の応答指令無線周波数でコード化されたタグ識別情報を戻すことによって前記特定の応答指令無線周波数に応答することを意図したタイプの受動無線周波数識別タグとともに使用するための無線周波数識別システムのための近接リーダー（１０）であって、出力周波数を生成するための周波数発生手段（１８）、前記出力周波数で無線周波数場を放射するために接続されたアンテナ回路（１４）及び前記無線周波数場を前記出力周波数でロードすることによって通信されるトランスポンダータグコード化応答を受信及びデコードするためのリーダー回路（１２）、コード化されたトランスポンダータグ情報を受信及びデコードするために前記アンテナ回路（１４）に接続されたマイクロプロセッサー（１２）、及び前記出力周波数を複数の周波数にわたって切り換えることによって周波数走査し、前記特定の周波数を合成しかつＩＤタグによる応答を観測することによって前記周波数の各々で走査を実施し、そして割り当てられた観測窓内で有効なタグ応答が受信されない場合または有効なタグ応答の完了の後、前記周波数の次の周波数でもう１つの走査を実施することによる周波数走査のための走査手段（１２）を備える近接リーダー。
【請求項２】  前記アンテナ回路の選択可能インピーダンス（Ｃ２−Ｃ５）及び前記複数の周波数の各々での前記インピーダンスの値を選択及び格納するために動作可能な同調プログラム手段（１２）を含むアンテナ共振同調手段（Ｃ１−Ｃ５）、及び前記出力周波数の対応する１つで前記アンテナ回路（１４）に各選択されたインピーダンス値を接続し、それにより前記アンテナ回路のリアクタンスを実質的に最適化し、前記周波数の各々での送信機の動作範囲を最大化するための手段（Ｓ１−Ｓ４）をさらに備える、請求項１に記載の近接リーダー。
【請求項３】  前記選択可能インピーダンスが前記アンテナ回路のアドレス指定可能な可変同調容量（Ｃ２−Ｃ５）、及び前記同調容量の異なった容量値で前記アンテナ回路の無線周波数信号の振幅を検出するために前記同調容量をアドレス指定し、それにより、前記中心周波数及び個々の側周波数の各々で最適な信号の振幅を生成して、前記リーダーの動作範囲を最適化する容量値を表すアドレス表を構築するために動作可能な同調プログラム手段（１２）を備える、請求項２に記載の近接リーダー。
【請求項４】  前記アンテナ回路（１４）にわたって無線周波数電圧を測定し、前記マイクロプロセッサー（１２）にピーク検出出力（２６）を与えるために接続されたピーク検出回路（２０）をさらに備え、前記マイクロプロセッサーが前記発生器（１８）の出力周波数を変更して前記アンテナ回路のピーク共振を得るために動作可能であり、前記同調プログラム手段（１２）が、前記アンテナ回路（１４）のリアクタンスが前記出力周波数で最適化されるように、前記出力周波数を中心及び側周波数の１つにするために効果的な前記同調容量（Ｃ２−Ｃ５）の値を選択するために動作可能である、請求項３に記載の近接リーダー。
【請求項５】  前記マイクロプロセッサー（１２）及び前記同調プログラム手段（１２）が、前記出力周波数のサイクルのタイミングをとり、それにより前記出力周波数を測定するため、及び前記中心及び側周波数の各々に等しい出力周波数に関連する前記同調容量（Ｃ２−Ｃ５）の値の表を格納するために動作可能である、請求項４に記載の近接リーダー。
【請求項６】  前記選択可能インピーダンスが前記マイクロプロセッサー（１２）によってアドレス指定可能な複数の容量（Ｃ２−Ｃ５）であり、前記インピーダンス値が前記容量を表すアドレス表として格納される、請求項２または３に記載の近接リーダー。
【請求項７】  前記容量（Ｃ２−Ｃ５）が２進的に重み付けされている、請求項６に記載の近接リーダー。
【請求項８】  前記同調プログラム手段（１２）が前記アンテナ回路（１４，１６）の共振への環境の影響を補正するために近接リーダー（１０）の電源投入時に実行される、請求項３、４または５に記載の近接リーダー。
【請求項９】  前記同調プログラム手段（１２）が近接リーダー（１０）の動作中に前記アンテナ回路（１４）の共振への環境の影響の変化を補正するために前記アンテナ回路が再同調されるように、リーダーの動作中に周期的な間隔で実行される、請求項３、４、５または８に記載の近接リーダー。
【請求項１０】  前記走査プログラム手段（１２）がさらに、前記マイクロプロセッサー（１２）によるトランスポンダータグからの応答の検出によって前記走査シーケンスを中断し、前記応答の完了により前記走査シーケンスを再開するために動作可能である、請求項１に記載の近接リーダー。
【請求項１１】  前記アンテナ共振同調手段が前記アンテナ回路（１４）にわたって無線周波数電圧を測定し、前記マイクロプロセッサー（１２）にピーク検出出力（２６）を与えるために接続されたピーク検出回路（２０）を備え、前記マイクロプロセッサーが前記発生器（１８）の出力周波数を変更して前記アンテナ回路（１４，１６）のピーク共振を得るために動作可能であり、前記同調プログラム手段（１２）が、前記アンテナ回路（１４）のリアクタンスが所望の周波数で最適化されるように、前記出力周波数を前記所望の周波数にするために効果的な前記インピーダンス（Ｃ２−Ｃ５）の値を選択するために動作可能である、請求項２に記載の近接リーダー。
【請求項１２】  前記マイクロプロセッサー（１２）及び前記同調プログラム手段（１２）が前記出力周波数を測定するため、及び前記所望の周波数に関連した前記インピーダンスの値を格納するために動作可能な、請求項１１に記載の近接リーダー。
【請求項１３】  前記所望の周波数が中心周波数及び複数の側周波数を含み、前記同調プログラム手段が出力周波数に関連する前記中心周波数及び側周波数に対応するインピーダンス値の表を格納するために動作可能である、請求項１２に記載の近接リーダー。
【請求項１４】  前記周波数発生器（１８）が前記マイクロプロセッサーの外部に存在し、共通の集積回路デバイス（３２）上の前記ピーク検出回路（２０）を含む、請求項１〜１３のいずれかに記載の近接リーダー。
【請求項１５】  前記周波数発生器（１８）が前記マイクロプロセッサー（１２）の内部に存在し、水晶制御式クロック及び前記中心周波数及び前記側周波数を設定するために前記同調プログラム手段（１２）によって制御されるクロック周波数分割器を備える、請求項１〜１４のいずれかに記載の近接リーダー。
【請求項１６】  前記受動無線周波数識別タグが、前記近接リーダー（１０）によるデコードのためのタグ識別データを表すパターンにて前記特定の前記応答指令無線周波数で無線周波数場をロードすることによって前記応答指令に応答する、請求項１〜１５のいずれかに記載の近接リーダー。
【請求項１７】  前記周波数走査が中心周波数及び選択された側周波数の各々での応答指令タグを含む、請求項１〜１６のいずれかに記載の近接リーダー。
【請求項１８】  前記周波数の各々で走査が実施され、各走査が前記特定の周波数を合成しかつタグ応答を観測すること、及び観測窓内でタグが確認された場合、タグ応答の完了まで走査シーケンスを停止することを含む、請求項１〜１７のいずれかに記載の近接リーダー。
【請求項１９】  予め規定された時間間隔の後に有効な信号が受信またはデコードされなかった場合、タグ応答が完了したとみなされる、請求項１〜１８のいずれかに記載の近接リーダー。
【請求項２０】  割り当てられた観測窓内で有効なタグ応答が受信されない場合、または有効なタグ応答の完了の後、もう１つの周波数でもう１つの走査が実施される、請求項１８または１９に記載の近接リーダー。
【請求項２１】  前記中心及び側周波数を通して連続的な走査が周期的かつ連続的に実施される、請求項１８、１９または２０に記載の近接リーダー。
【請求項２２】  格納されたインピーダンス値をアンテナ回路に切り換えて、前記アンテナ回路を前記周波数の各々でピークに合わせるためにために動作可能な自動同調シーケンスをさらに含む、請求項１〜２１のいずれかに記載の近接リーダー。
【請求項２３】  前記自動同調シーケンスが近接リーダーの動作中にピークアンテナ共振のための周期的な再同調のために動作可能なアンテナ較正シーケンスを含む、請求項２２に記載の近接リーダー。
【請求項２４】  近接リーダー付近の人や車の通過等のリーダー環境の短期間の変化及び天候の変化等の長時間の変化にかかわらず、所望の周波数での近接リーダーの放射された信号強度が最大化されるように前記アンテナ較正シーケンスが実施される、請求項２３に記載の近接リーダー。
【請求項２５】  アンテナ回路への容量値を切り換えることによって前記周波数走査が実施される、請求項１〜２４のいずれかに記載の近接リーダー。
【請求項２６】  前記複数の周波数の各々が５〜１０ミリ秒で走査される、請求項１〜２５のいずれかに記載の近接リーダー。
【請求項２７】  無線周波数識別システムのための近接リーダー（１０）であって、タグ応答指令周波数を発生するための周波数発生器手段（１８）、応答指令トランスポンダータグに応答指令を出すために前記周波数を放射するために接続されたアンテナ回路（１４）、及びトランスポンダータグ情報を受信及びデコードするため前記アンテナ回路に接続されたマイクロプロセッサー（１２）、選択可能なインピーダンス（Ｃ２−Ｃ５）含むアンテナ共振同調手段（Ｃ１−Ｃ５）、及び前記周波数で放射される最大の信号のために前記アンテナ回路のリアクタンスを実質的に最適化するか、前記アンテナ回路のピーク共振を得て、それにより送信機の動作範囲を最大化するために前記周波数を変更するために前記インピーダンスの値を選択するために動作可能な同調プログラム手段（１２）であって、前記同調プログラム手段による参照のために前記値を格納するための前記同調プログラム手段を備える近接リーダー。
【請求項２８】  前記選択可能なインピーダンス（Ｃ１−Ｃ５）が前記マイクロプロセッサー（１２）によりアドレス指定可能な複数の容量である、請求項２７に記載の近接リーダー。
【請求項２９】  前記インピーダンス値（Ｃ１−Ｃ５）が前記容量を表すアドレス表として格納される、請求項２８に記載の近接リーダー。
【請求項３０】  前記容量（Ｃ１−Ｃ５）が２進的に重み付けされている、請求項２７または２８に記載の近接リーダー。
【請求項３１】  前記周波数が前記マイクロプロセッサー上で動作しているソフトウェアによって決定され、前記マイクロプロセッサーに前記アンテナ回路のピーク電圧を表す入力を与えるために動作可能なピーク検出回路をさらに備え、前記同調プログラム手段が前記アンテナ回路を前記近接リーダーの所望の動作周波数でのピーク共振に同調させるための前記インピーダンスを選択するために動作可能である、請求項２７〜３０のいずれかに記載の近接リーダー。
【請求項３２】  前記アンテナ共振同調手段が前記発生手段の出力周波数を変更して前記アンテナ回路のピーク共振を得るために動作可能であり、前記同調プログラム手段が、前記アンテナ回路のリアクタンスが所望の周波数で最適化されるように、前記出力周波数を前記所望の周波数にするために効果的な前記インピーダンスの値を選択するために動作可能である、請求項２７〜３０のいずれかに記載の近接リーダー。
【請求項３３】  前記マイクロプロセッサー及び前記同調プログラム手段が前記出力周波数を測定し、前記望まれる周波数に関連する前記インピーダンスの値を格納するために機能可能である、請求項３２に記載の近接リーダー。
【請求項３４】  前記選択可能インピーダンスが容量ラダー及び前記マイクロプロセッサーによってアドレス指定可能な複数のスイッチを備える、請求項２７〜３３のいずれかに記載の近接リーダー。
【請求項３５】  前記望まれる周波数が複数の周波数を含み、前記同調プログラム手段が前記複数の周波数に対応するインピーダンスの値のテーブルを格納するために機能可能である、請求項２７〜３４のいずれかに記載の近接リーダー。
【請求項３６】  前記複数の周波数が前記中心周波数及び複数の側周波数を含む、請求項３５に記載の近接リーダー。
【請求項３７】  前記同調プログラム手段が前記アンテナ回路の共振への環境の影響を補正するために近接リーダーの電源投入時に実行される、請求項２７〜３６のいずれかに記載の近接リーダー。
【請求項３８】  前記同調プログラム手段が近接リーダーの動作中に前記アンテナ回路の共振への環境の影響の変化を補正するために前記アンテナ回路が再同調されるように、リーダーの動作中に周期的な間隔で実行される、請求項２７〜３７のいずれかに記載の近接リーダー。
【請求項３９】  前記周波数発生器が前記マイクロプロセッサーの内部にあり、前記中心周波数及び側周波数を設定するために前記同調プログラム手段によって制御される、水晶制御クロック及びクロック周波数分周器を備える、請求項２７〜３８のいずれかに記載の近接リーダー。
【請求項４０】  前記周波数発生器が前記マイクロプロセッサーの外部に存在し、共通の集積回路デバイス上の前記ピーク検出回路を含む、請求項２７〜３８のいずれかに記載の近接リーダー。
【請求項４１】  複数の周波数を通して連続的に前記周波数発生器を切り換えること、及び前記中心及び側周波数の各々でトランスポンダータグを応答指令し、それにより周波数外のトランスポンダータグの応答指令範囲を改善することを含む走査シーケンスを実施するために動作可能な走査プログラム手段をさらに備える、請求項２７〜４０のいずれかに記載の近接リーダー。
【請求項４２】  前記走査プログラムが前記マイクロプロセッサーによって前記周波数のいずれかにおけるトランスポンダータグからの応答が検出されたときに前記走査シーケンスを中断するため、及び前記応答が完了したときに前記走査シーケンスを再開するために動作可能である、請求項４１に記載の近接リーダー。
【請求項４３】  前記複数の周波数が中心周波数及び複数の側周波数を含む、請求項４１または４２に記載の近接リーダー。
【請求項４４】  前記アンテナ共振同調手段及び同調プログラム手段が前記複数の周波数の各々での前記インピーダンスの値を選択及び格納するために動作可能であり、そして、前記出力周波数の対応する１つで前記アンテナ回路に各選択されたインピーダンス値を接続し、それにより、前記アンテナ回路のリアクタンスを実質的に最適化し、前記周波数の各々での送信機の動作範囲を最大化するための手段をさらに備える、請求項４１〜４３のいずれかに記載の近接リーダー。
【請求項４５】  前記選択可能インピーダンスが前記アンテナ回路のアドレス指定可能な可変同調容量、及び前記同調容量をアドレス指定し、前記同調容量の異なった容量値で前記アンテナ回路の信号の振幅を検出するために、それにより、前記アンテナ回路で最適な信号の振幅を生成して、前記リーダーの動作範囲を最適化する容量値を表すアドレス表を構築するために動作可能な同調プログラム手段を備える、請求項２７〜４４のいずれかに記載の近接リーダー。
【請求項４６】  アンテナ回路の共振ピークを得るため前記発生器の出力周波数を変更するために機能可能であるピーク検出回路をさらに備え、前記同調プログラム手段が前記アンテナ回路が前記中心及び側周波数の１つで最適化するように、前記出力周波数を前記周波数に持っていくために効果的な前記同調容量の値を選択するために機能可能である、請求項４５に記載の近接リーダー。
【請求項４７】  前記マイクロプロセッサー及び前記同調プログラム手段が前記出力周波数のサイクルのタイミングをとり、それにより前記周波数を測定し、前記出力周波数に関連した前記同調容量の値のテーブルを格納するために機能可能である、請求項２７〜４６のいずれかに記載の近接リーダー。
【請求項４８】  前記周波数発生手段を前記側及び中心周波数を通して逐次的に切り換えることを含む走査シーケンスを実行し、それにより周波数のずれたトランスポンダータグの応答指令範囲を改善するために機能可能な走査プログラム手段をさらに備える、請求項２７〜４７のいずれかに記載の近接リーダー。
【請求項４９】  前記走査プログラム手段がさらに、前記アンテナ回路への前記インピーダンスの対応する値を同時的に切り換え、それにより、前記周波数の各々での応答指令範囲を最大化しかつ周波数外トランスポンダータグの存在のより優れた検出のために動作可能である、請求項４８に記載の近接リーダー。
【請求項５０】  前記走査プログラム手段がさらに、前記マイクロプロセッサーによるトランスポンダータグからの応答の検出によって前記走査シーケンスを中断し、前記応答の完了により前記走査シーケンスを再開するために機能可能である、請求項４８または４９に記載の近接リーダー。
【請求項５１】  前記アンテナ共振同調手段が選択可能容量を含み、前記同調プログラム手段が、放射される最大の信号のために前記アンテナ回路の共振を実質的に最適化するための、前記容量の対応する値を選択するために前記マイクロプロセッサーと協働して動作可能であり、前記対応する値を格納するためのメモリー手段をさらに備える、請求項２７〜５０に記載の近接リーダー。
【手続補正２】
【補正対象書類名】明細書
【補正対象項目名】０００３
【補正方法】変更
【補正の内容】
【０００３】
受動ＩＤシステムのリーダーはリーダー装置の周辺に無線周波数場を確立するために無線周波数発生器及び同調アンテナ回路を持つ。受動ＩＤタグは周波数発生器を持たず、代わりに、リーダーが放射した場を、リーダーによって検出され、ＩＤタグデータとして識別されるパターンとしてロードすることによってリーダーと通信する。ＩＤタグはリーダーの無線周波数場から得られるエネルギーによって電力を得るトランスポンダーＩＣを含む。タグのトランスポンダーが必要とするエネルギーはリーダーの送信周波数で最大に共振するようにチューニングされたタグアンテナ回路の手段によって受信される。リーダー／ＩＤタグシステムの実効動作範囲はリーダーによって放射され、タグによって受信される無線周波数エネルギーの効率によって部分的に決まる。これはタグ及びリーダーの両方の共振アンテナ回路の正確な同調（または、チューニング）を必要とする。しかしながら、実際には、環境的な要因や製造上の許容範囲がこの理想値から外れる原因となる。